(57)【要約】本発明は、周波数変調（ＦＭ）を活用する無線オーディオ雑音低減システムのエンコーダとデコーダの間の無線通信パスに被られるノイズを軽減する装置および方法にそれを提供する。エンコーダは、入力信号が第１の閾値レベルを超えるときはいつでも、圧縮を実行する可変コンプレッサを備える。デコーダは、デコーダからの受信信号が第２の閾値を超えるときはいつでも、拡張を実行する可変エキスパンダを備える。【選択図】図１
2005507188.tif 000002
【特許請求の範囲】
【請求項１】
入力源と出力装置の間の無線通信を提供している無線オーディオ雑音低減システムにおいて、
入力装置を介して前記入力源から送信される信号を受信し、第１の入力閾値を超える場合、１対１より大きい圧縮比に伴う圧縮操作を実行する可変コンプレッサと、
前記可変コンプレッサに接続された変調器と、
前記変調器に接続され、第１のアンテナに接続されたマッチングネットワーク
とを備えるエンコーダと、
前記第１のアンテナを有する無線通信に存在する第２のアンテナからの入力によって駆動される信号検出器と、
前記信号検出器に接続されており、第２の入力閾値を超える場合、１対１より大きい膨張比とする拡大操作を実行する可変エキスパンダ
とを備える前記エンコーダと通信するデコーダ
を備えることを特徴とする無線オーディオ雑音低減システム。
【請求項２】
前記変調器と前記信号検出器は、周波数変調（ＦＭ）技術を利用することを特徴とする請求項１に記載の無線オーディオ雑音低減システム。
【請求項３】
前記可変コンプレッサと前記入力源の間に接続されたプレエンファシス回路
を更に備えることを特徴とする請求項１に記載の無線オーディオ雑音低減システム。
【請求項４】
前記可変コンプレッサと前記入力源の間に接続されたハイパスフィルタ（ＨＰＦ）
を更に備えることを特徴とする請求項１に記載の無線オーディオ雑音低減システム。
【請求項５】
前記圧縮比が３対１から８対１であることを特徴とする請求項１に記載の無線オーディオ雑音低減システム。
【請求項６】
前記可変コンプレッサは、
前記入力源からの入力によって駆動される電圧制御増幅器（ＶＣＡ）と、
前記ＶＣＡに接続された二乗平均（ＲＭＳ）検出器と、
前記ＲＭＳ検出器に接続され、出力によって前記ＶＣＡの利得関数に影響を与える圧縮比及び閾値回路
とを備えることを特徴とする請求項１に記載の無線オーディオ雑音低減システム。
【請求項７】
前記可変コンプレッサは、
前記ＲＭＳ検出器と前記ＶＣＡのバイアス差を減少するバイアスオフセット回路
を更に備えることを特徴とする請求項１に記載の無線オーディオ雑音低減システム。
【請求項８】
前記第１のアンテナは、前記無線オーディオ雑音低減システムと統合されることを特徴とする請求項１に記載の無線オーディオ雑音低減システム。
【請求項９】
前記入力装置は、前記無線オーディオ雑音低減システムと統合されることを特徴とする請求項１に記載の無線オーディオ雑音低減システム。
【請求項１０】
前記入力装置は、マイクロフォンと記録装置とを有するグループから選択されることを特徴とする請求項１に記載の無線オーディオ雑音低減システム。
【請求項１１】
前記入力装置は、少なくとも一つの変換器を備えることを特徴とする請求項１に記載の無線オーディオ雑音低減システム。
【請求項１２】
前記可変コンプレッサと前記出力装置の間に接続されるデエンファシス回路
を更に備えることを特徴とする請求項１に記載の無線オーディオ雑音低減システム。
【請求項１３】
前記可変エキスパンダと前記信号検出器の間に接続されるローパスフィルタ（ＬＰＦ）
を更に備えることを特徴とする請求項１に記載の無線オーディオ雑音低減システム。
【請求項１４】
前記膨張比は、１対３から１対８の間であることを特徴とする請求項１に記載の無線オーディオ雑音低減システム。
【請求項１５】
前記可変エキスパンダは、
前記信号検出器からの入力によって駆動される電圧制御増幅器（ＶＣＡ）と、
前記ＶＣＡに接続された二乗平均（ＲＭＳ）検出器と、
前記ＲＭＳ検出器に接続され、出力によって前記ＶＣＡの利得関数に影響を与える膨張比及び閾値回路
とを備えることを特徴とする請求項１に記載の無線オーディオ雑音低減システム。
【請求項１６】
前記可変コンプレッサは、
前記ＲＭＳ検出器と前記ＶＣＡのバイアス差を減少するバイアスオフセット回路
を更に備えることを特徴とする請求項１５に記載の無線オーディオ雑音低減システム。
【請求項１７】
前記第２のアンテナは、前記無線オーディオ雑音低減システムと統合されることを特徴とする請求項１に記載の無線オーディオ雑音低減システム。
【請求項１８】
入力源からデコーダまで無線パスに送信し、前記入力源からの入力信号を提供するエンコーダにおいて、
入力装置を介して前記入力源から送信される信号を受信し、第１の入力閾値を超える場合、1に対する1より大きい圧縮比に伴う圧縮操作を実行する可変コンプレッサと、
前記可変コンプレッサに接続された変調器と、
前記変調器に接続され、第１のアンテナに接続されたマッチングネットワーク
とを備えることを特徴とするエンコーダ。
【請求項１９】
前記変調器は、周波数変調（ＦＭ）技術を利用することを特徴とする請求項１８に記載のエンコーダ。
【請求項２０】
前記可変コンプレッサと前記入力源の間に接続されたプレエンファシス回路
を更に備えることを特徴とする請求項１８に記載のエンコーダ。
【請求項２１】
前記可変コンプレッサと前記入力源の間に接続されたハイパスフィルタ（ＨＰＦ）
を更に備えることを特徴とする請求項１８に記載のエンコーダ。
【請求項２２】
前記圧縮比が３対１から８対１であることを特徴とする請求項１８に記載のエンコーダ。
【請求項２３】
前記可変コンプレッサは、
前記入力源からの入力によって駆動される電圧制御増幅器（ＶＣＡ）と、
前記ＶＣＡに接続された二乗平均（ＲＭＳ）検出器と、
前記ＲＭＳ検出器に接続され、出力によって前記ＶＣＡの利得関数に影響を与える圧縮比及び閾値回路
とを備えることを特徴とする請求項１８に記載のエンコーダ。
【請求項２４】
前記可変コンプレッサは、
前記ＲＭＳ検出器と前記ＶＣＡのバイアス差を減少するバイアスオフセット回路
を更に備えることを特徴とする請求項２３に記載のエンコーダ。
【請求項２５】
前記第１のアンテナは、前記エンコーダと統合されることを特徴とする請求項１８に記載のエンコーダ。
【請求項２６】
前記入力装置は、前記エンコーダと統合されることを特徴とする請求項１８に記載のエンコーダ。
【請求項２７】
前記入力装置は、マイクロフォンと記録装置をと有するグループから選択されることを特徴とする請求項１８に記載のエンコーダ。
【請求項２８】
前記入力装置は、少なくとも一つの変換器を備えることを特徴とする請求項１８に記載のエンコーダ。
【請求項２９】
無線パス上のエンコーダから信号を受信し、前記エンコーダから受信した信号を提供するデコーダにおいて、
第２のアンテナからの受信信号を入力として駆動される信号検出器と、
前記信号検出器に接続されており、第２の入力閾値を超える場合、１対１より大きい膨張比とする拡大操作を実行し、出力装置に出力する可変エキスパンダ
とを備えることを特徴とするデコーダ。
【請求項３０】
前記信号検出器は、周波数変調（ＦＭ）技術を利用することを特徴とする請求項２９に記載のデコーダ。
【請求項３１】
前記可変コンプレッサと前記出力装置の間に接続されるデエンファシス回路
を更に備えることを特徴とする請求項２９に記載のデコーダ。
【請求項３２】
前記可変エキスパンダと前記信号検出器の間に接続されるローパスフィルタ（ＬＰＦ）
を更に備えることを特徴とする請求項２９に記載のデコーダ。
【請求項３３】
前記膨張比は、１対３から１対８の間であることを特徴とする請求項２９に記載のデコーダ。
【請求項３４】
前記可変エキスパンダは、
前記信号検出器からの入力によって駆動される電圧制御増幅器（ＶＣＡ）と、
前記ＶＣＡに接続された二乗平均（ＲＭＳ）検出器と、
前記ＲＭＳ検出器に接続され、出力によって前記ＶＣＡの利得関数に影響を与える膨張比及び閾値回路
とを備えることを特徴とする請求項２９に記載のデコーダ。
【請求項３５】
前記可変エキスパンダは、
前記ＲＭＳ検出器と前記ＶＣＡのバイアス差を減少するバイアスオフセット回路
を更に備えることを特徴とする請求項３４に記載のデコーダ。
【請求項３６】
前記第２のアンテナは、前記デコーダと統合されることを特徴とする請求項２９に記載のデコーダ。
【請求項３７】
入力源と出力装置の間の送信パスを提供している有線オーディオ雑音低減回路とを備える有線オーディオ雑音低減システムにおいて、
入力装置を介して前記入力源から送信される信号を受信し、第１の入力閾値を超える場合、１対１より大きい圧縮比に伴う圧縮操作を実行する可変コンプレッサと、
前記可変コンプレッサに接続された変調器と、
前記変調器に接続され、前記送信パスに接続されたマッチングネットワーク
とを備えるエンコーダと、
前記送信パスからの入力によって駆動される信号検出器と、
前記信号検出器に接続されており、第２の入力閾値を超える場合、１対１より大きい膨張比とする拡大操作を実行する可変エキスパンダ
とを備える前記エンコーダと通信するデコーダ
を備えることを特徴とする有線オーディオ雑音低減システム。
【請求項３８】
無線パスと関連する雑音除去を支援する、無線パス上の送信の入力信号をエンコードする方法において、
入力閾値を超える場合、圧縮操作が実行される入力信号を可変に圧縮し、処理された信号を生成するステップと、
前記処理された信号を変調し、変調信号を生成するステップと、
第１のアンテナを介して前記変調信号を送信するステップ
とを備えることを特徴とする無線パス上の送信の入力信号をエンコードする方法。
【請求項３９】
前記可変に圧縮し、処理された信号を生成するステップは、
電圧制御増幅器（ＶＣＡ）の電圧制御入力を調整するステップと、
前記ＶＣＡの出力から出力された信号の二乗平均（ＲＭＳ）を計測するステップと、
前記ＶＣＡの増幅度機能に影響を及ぼす圧縮比及び閾値を決定するステップ
とを備えることを特徴とする請求項３８に記載の方法。
【請求項４０】
無線パスでの雑音除去を支援する、無線パス上で受信された受信変調信号をデコードする方法において、
第２のアンテナより供給された受信信号を検出するステップと、
前記検出するステップによって提供された検出信号を可変に拡張するステップ
とを備えることを特徴とする受信変調信号をデコードする方法。
【請求項４１】
前記検出信号を可変に拡張するステップは、
電圧制御増幅器（ＶＣＡ）の電圧制御入力を調整するステップと
前記ＶＣＡの出力から出力された信号の二乗平均（ＲＭＳ）を計測するステップと、
前記ＶＣＡの膨張機能に影響を及ぼす膨張比及び閾値を決定するステップ
とを備えることを特徴とする請求項４０に記載の方法。
【発明の詳細な説明】
【技術分野】
【０００１】
本発明は無線オーディオマイクロフォンシステムに関する。
【背景技術】
【０００２】
話し手と話し手の話を聞いている人々の間の音声通信を提供するために、通信を容易にするためにオーディオ電子機器がしばしば活用される。用語「話し手」は様々な入力源を意味することができ、言語を明瞭に表現している人または歌を歌っている音楽帯域を含む。さらに、より大きい可動性のための話し手は、オーディオ電子機器につながれていない接続を必要とすることがありえる。音響のスピーカとエレクトロニクス機器の間の無線接続は、周波数（ＦＭ）無線技術によって提供されることができる。オーディオエレクトロニクス機器は、送信機（エンコーダを含む）と、受信機（デコーダを含む）とを備えている。このような装置において、話し手によって提供される度に、送信機がオーディオ信号を処理し、信号を変調させ、変化された信号は、受信機に無線パスを通じて伝達されてもよい。受信機は受信信号を復調し、その後、処理された受信信号を増幅できる回路に、処理された受信信号が提示される。この対応する信号は、付属の記録回路によって記録されてもよく、音響のスピーカ装置を有するオーディオ信号に変換されてもよい。
【０００３】
エンコーダとデコーダの間の無線パスにおいて生成される任意の「ノイズ」によって、処理された受信信号とその結果として関連する音声信号の品質は、低下する可能性がある。（用語「ノイズ」は、所望の、歪みがない信号の上に重畳されるランダムに変更している信号を伴う）。そして、送信機ＶＣＯ（電圧制御発振器）位相雑音、送信機シンセサイザ安定度、受信機のＦＭ検波器の品質、濾過されている受信機RF帯域通過と受信機のローカルオシレータを含む無線パスに関して多くのノイズの発信元がある。さらに、ＦＭ無線技術を伴うと無線パスは、弱い無線信号受信機によって受信されると生成されるＦＭノイズに影響されやすい。
【０００４】
誰かが呼吸しているのと同様の音特性を原因として生じるので、「ブリージング」特性を有しているオーディオ信号（聞き手に与えられる度に）においてFMノイズが生じる。「ブリージング」効果は、コンパンディングのタイプに関連するダイナミックノイズによって引き起こされる。さらに、「ブリージング」効果の程度は、ダイナミックノイズレベルによって増強する。結果として生じる効果は、聞き手に顕著である可能性があり、オーディオ信号の劣化として認められる。このように、「ブリージング」効果を改善する解決案を見出すことにより、ワイヤレスマイク技術が進歩する。
【発明の開示】
【発明を解決するための手段】
【０００５】
本発明は、無線オーディオ雑音低減回路のエンコーダとデコーダの間の無線通信パスに伴う「ブリージング効果」を軽減する。一方、誰かが呼吸している特性である音に聞き手は気づく。「ブリージング」効果は、コンパンディングのタイプとともにダイナミックノイズによって生じられる。さらに、「ブリージング」効果の程度は、ダイナミックノイズレベルによって増加する。
【０００６】
本発明は、対応しているブリージング効果を軽減する装置および方法を提供する。本発明によると、無線オーディオ雑音低減回路は、エンコーダと、デコーダとを備えている。エンコーダは、入力信号が第１の入力閾値を超える場合に圧縮を実行する可変コンプレッサと、周波数変調（ＦＭ）変調器と、無線通信パスを介して送信される変調器と第１のアンテナとの入出力を行うマッチングネットワークを備える。デコーダは、第２のアンテナを介して無線通信パスを越えて、エンコーダから信号を受信する。デコーダは、ＦＭ検波器と、第２の入力閾値を超える場合、膨張操作を実行する可変エキスパンダとを備えている。
本発明の典型的な実施例は、例えば電波伝搬路またはケーブルなどの通信パスを有するエンコーダとデコーダの構造を説明して提示される。さらに、エンコーダとデコーダの電気的設計は、市販の構成要素によって示される。
【発明を実施するための最良の形態】
【０００７】
図１は、本発明に係る無線オーディオ雑音低減回路１００のシステム構成を示す。
【０００８】
入力源１０１は、伝送路１０２上の入力装置１０３によって処理される音響信号を生成する。図１は入力源１０１が人であると記載しているが、入力源１０１が、人、楽器、コンパクトディスク（ＣＤ）または音声周波数帯信号の任意のジェネレータでもよいことは、当業者であれば理解できる。入力装置１０３は、入力源１０１によって生成される信号を処理する。その結果、入力装置１０３の選択は入力源１０１の選択に依存する。たとえば入力源１０１が人である場合、入力装置１０３としてマイクロフォンが適用できる。入力源１０１がＣＤである場合、入力装置１０３としてＣＤプレーヤに伴うエレクトロニクスが適用できる。伝送路１０２は、１０１及び１０３の選択に依存する。伝送路１０２のいくつかの例としては、１０１と１０３を接続している空気またはケーブルを含む。
【０００９】
ＨＰＦ１０５は、伝送路１０２を介して生成される可能性がある不必要なノイズ（例えば、車において話す時、ノイズを巻回する）を減らすハイパスフィルタである。しかし、ＨＰＦ１０５を含む必要性は、入力源１０１、伝送路１０２と入力装置１０３の特性に依存する。プレエンファシス回路１０７は、提示された信号のより高い周波数成分の増幅度を改良する。プレエンファシス（前置準漏話等化器）回路を備えることにより、周波数変調方式を伴う結果として生じる信号対雑音比（Ｓ／Ｎ）が向上することは、公知技術である。結果として生じる信号は、可変コンプレッサ１０９に対する入力信号である。
【００１０】
可変コンプレッサ１０９は、入力信号のレベルに依存するゲイン特性を有する。可変コンプレッサ１０９の操作が図３によって更に詳細に検討されると共に、ゲイン特性は図２に関して検討される。１０９に対する入力信号が第１の入力閾値を超える場合だけ、可変コンプレッサ１０９は圧縮を実行する。そうでない（すなわち、入力信号は第１の入力閾値より下である）場合には、可変コンプレッサ１０９は、固定増幅度（一般的に３５乃至５０ｄＢの間）を有する。換言すれば、可変コンプレッサ１０９の圧縮特性は、無効にされる。
【００１１】
変数コンプレッサ１０９の出力は、変調器１１１によって処理される。変調器１１１は、周波数変調（ＦＭ）技術を利用する。１１１の結果として生じる出力は、マッチングネットワーク１１３によって処理される。マッチングネットワーク１１３は、アンテナ１１５のインピーダンスにエンコーダのインピーダンスを突き合わせて、所望の送信信号レベルを提供する。ラジオ周波数（ＲＦ）パス１１６を通じてアンテナ１１５とアンテナ１１７の間に通信が確立される。別の実施例は、ラジオ周波数媒体以外の伝送媒体の他のタイプを利用することができる。他の例としては、赤外線伝送媒体と可視光媒体を含む。
【００１２】
デコーダのアンテナ１１７によって受信される受信信号は、ＦＭ検波器１１９によって処理される。ＦＭ検波器１１９は、ＦＭ技術を利用して、ＦＭ信号をベースバンド音声信号に変換する。増幅器１２１は、ＦＭ検波器１１９の出力信号を適切なレベルに増幅する。受信信号の特性によって、増幅器１２１が必要とされない場合もある。増幅器１２１からの出力は、ローパスフィルタＬＰＦ１２３によって処理される。ＨＰＦ１０５のレスポンスと連携することによりＬＰＦ１２３のレスポンスは、可変エキスパンダ１２５の操作を妨げる可能性がある超音波と音速以下の情報を減らす有効帯域フィルタをつくる。ＬＰＦ１２３の出力は、それから可変エキスパンダ１２５によって処理される。
【００１３】
可変エキスパンダ１２５は、入力源１０１からの入力信号を再生するために可変コンプレッサ１０９の逆ゲイン特性を有する。入力信号が第２の閾値レベルを超える場合、可変エキスパンダ１２５は拡大操作を実行する。第２の閾値レベルより下の場合、可変コンプレッサ１０９の対応している固定増幅度を補償するための固定増幅度を、エキスパンダ１２５が有している。エキスパンダ１２５の操作は、図４によって更に詳細に検討される。
【００１４】
可変エキスパンダ１２５の出力は、それからデエンファシス回路１２７へ処理される。デエンファシス回路（後置準漏話等化器）は、本質的にプレエンファシス回路１０５の逆利得関数を有する。このように、デエンファシス回路１２７は、入力信号のより低い周波数の構成要素について、より高い利得を有する。処理された信号は、出力装置１２９に提示される。出力装置１２９の例としては、混合コンソール、音響のスピーカと記録装置を含む。
図１が無線システムを示す場合であっても、本発明は当業者によって理解される様に、ＲＦパス１１６は、ケーブル、赤外線伝送媒体または可視光媒体のような無線伝送路に置き換えられる無線システムに適用できる。「ブリージング」の程度は、無線パスによって被られる信号劣化の量に依存する。さらに、当業者によって認められることができるように、本発明は周波数変調以外の変調方式を利用しているオーディオ通信システムに適用できる。
【００１５】
図２は、図１に示される可変コンプレッサ１０９の利得関数の関係を示す。コンプレッサ入力２０１（デシベル表記）は、コンプレッサ出力２０２（デシベル表記）に対してマッピングされる。コンプレッサ入力２０１がＩ１  ２０６より上にあるときはいつでも、曲線２０３によって表されるように、可変コンプレッサ１０９は圧縮操作を実行する。グラフィックポイント２０５は、関連するコンプレッサ出力がＯ１  ２０７であるＩ１  ２０６に対応する。コンプレッサ入力２０１がＩ１  ２０６の下にある場合、可変コンプレッサ１０９は、曲線２０４によって示されるような本質的に一つの増幅度を有する。
【００１６】
可変コンプレッサ１０９の利得関数を設計する際に、１０９と関連する電圧レールをデザイナーは考慮しなければならない。処理された信号に関連する電圧レベルは、電源の電圧レベルによって制限される。無線オーディオ雑音低減回路１００の電圧レールとダイナミックレンジ要求によって課される制約を満たすために、グラフィックポイント２０５が選択される。コンプレッサ入力２０１をエキスパンダ出力に置き換えること及びコンプレッサ出力２０２をエキスパンダ入力に置き換えることによって、可変エキスパンダ125の利得関数は、図２から導き出されてもよい。圧縮比（曲線２０３において反映されるように）を増加させることによって、圧縮入力Ｉ１  ２０６の値がより大きくなる。「ブリージング」効果（ＲＦパス１１６に生成されるノイズによって誘発される）が軽減されるので、Ｉ１  ２０６の増加する値は妥当になる。しかし、圧縮比を増加させることに従って、膨張比を増加させることが必要となる。しかし、圧縮及び膨張比が増加すると、可変コンプレッサ１０９と可変エキスパンダ１２５の構成要素の許容範囲は、より重大になる。圧縮及び膨張比があまりに大きくなると、無線オーディオ雑音低減回路１００の実用性に障害が生じる。
【００１７】
図３は、可変コンプレッサ１０９の機能図を示す。プリエンファシス回路１０７からの入力信号は、ＶＣＡ（電圧制御増幅器）３０１の入力３００に接続している。ＶＣＡ３０１は、その利得を制御電圧３０２によって変更する増幅器である。ＶＣＡ３０１の出力は、増幅器３０３とＬＰＦ３０５によって処理される。ＬＰＦ３０５は、ローパスフィルタであってと望まれていない過渡現象を軽減する所望の時定数を提供するための積分器として機能する。ＬＰＦ３０５は、エンコーダのフィードバックの必要なフィルタリング特性に従って、任意に設計される。可変コンプレッサ１０９の出力３１６は、ＲＭＳ検出器３０７、圧縮比及び閾値回路３０９と増幅器311を備えるフィードバックループ回路構成によって処理されるだけでなく、変調器１１１によって処理される。ＲＭＳ検出器３０７の出力を出力３１６の二乗平均（ＲＭＳ）値の標本とするために、ＲＭＳ検出器３０７はＬＰＦ３０５からの出力を処理する。回路比及び閾値回路３０９は、コンプレッサ入力Ｉ１  ２０６上でコンプレッサ操作を実行するためにＲＭＳ検出器３０７の出力を処理する。さらに、ＶＣＡ３０１と３０７の信号レベルが互換性を持つことを、回路３０９は保証する。ＶＣＡ３０１のバイアスレベルがＲＭＳ検出器３０７のバイアスレベルと互換性を持つと保証するために、バイアスオフセット回路３１３が組み込まれる。トリム回路３１５は、ＶＣＡ３０１の出力の歪みを減らすために、関連する波形の対称性を提供する。
【００１８】
図４は、図１に示す可変エキスパンダ１２５の機能図を示す。入力４００は、図１のＬＰＦ１２３の出力に接続されている。出力４１２は、図１のデエンファシス回路１２７の入力に接続されている。ＶＣＡ４０１、膨張比及び閾値回路４０５、ＲＭＳ検出器４０７、バイアスオフセット回路４０９及びトリム回路４１１の機能性は、図３に示すＶＣＡ３０１、圧縮比及び閾値回路３０９、ＲＭＳ検出器３０７、バイアスオフセット回路３１３とトリム回路３１５の機能性にそれぞれ対応する。膨張比及び閾値回路４０５の設計は、事実として、本質的にＶＣＡ４０１の利得関数がＶＣＡ３０１の利得関数の逆関数であるという説明しなければならない。
【００１９】
図５は、図３に示した可変コンプレッサ１０９を実現するための電気的な概要図を示す。図示する実装において、集積回路５０１と集積回路５１０はそれぞれ、ＴＨＡＴ２１８１及びＴＨＡＴ２２５である。両方の集積回路は、ＴＨＡＴ社によって製造される。（製品仕様は、www.thatcorg.comでインターネットにおいて入手可能である。）あるいは、ＴＨＡＴ４３１１ＲＭＳ検出器は、集積回路５１０としてのＴＨＡＴ２２５２と置換されてもよい。入力３００は、ピン５０２（in）に接続されており、ピン５０３（out）は、オペレーショナルアンプ５０７に接続されている。オペレーショナルアンプ５０７と抵抗器５０８は、図３の増幅器３０３に対応する。増幅器３１１、圧縮比及び閾値回路３０９とＲＭＳ検出器３０７を備えているフィードバックループにピン５０４（EC-）が接続される。ピン５０５（TRIM）は、３１５に接続されている。ピン５０６（EC+）は、接地される。
【００２０】
オペレーショナルアンプ５０７の出力は、可変コンプレッサ１０９の出力である出力３１６に対応する。さらに、出力３１６は、集積回路５１０、抵抗器５０９、抵抗器５１５とコンデンサ５１６を備えるＲＭＳ検出器３０７によって処理される。抵抗器５０９は、集積回路５１０のピン５１１（in）に接続されている。ピン５１３（IT）に接続されている抵抗器５１５とピン５１４（CT）に接続されているコンデンサ５１６は、集積回路５１０の時定数を調整することができる。ピン５１２（out）は、抵抗器５１８、５１９、５２１と５２３、オペレーショナルアンプ５１７及びダイオード５２２を備える圧縮比及び閾値回路３０９の入力に接続される。抵抗器５１８、抵抗器５１９及び電圧源５２０（-VEE）によって調整される様に、圧縮閾値は、対応しているＤＣオフセットによって決定される。圧縮比は、オペレーショナルアンプ５１７の利得によって決定される。
【００２１】
圧縮比及び閾値回路３０９の出力は、オペレーショナルアンプ５２４、抵抗器５２５及び抵抗器５２６とを備えている増幅器３１１によって処理される。増幅器３１１の出力は、ピン５０４（EC-）に接続されており、集積回路５０１の電圧利得を制御する。
集積回路５０１の出力のひずみは、トリム回路３１５によってピン５０５（TRIM）に提示される電圧レベルを調整することによって減少する。トリム回路３１５は、抵抗器５２８と５２９とを備えている。抵抗器構成は、電圧源５２０（-VEE）と５２７（+VCC）に接続される分圧器として作用する。
【００２２】
図６は、図４に示した可変エキスパンダ125を実現するための電気的な概要図を示す。図示する実装において、集積回路６０２と集積回路６０９は、それぞれＴＨＡＴ２１８１と、ＴＨＡＴ２２５２である。あるいは、ＴＨＡＴ４３１１ＲＭＳ検出器は、集積回路６０９としてＴＨＡＴ２２５２と置換されてもよい。入力４００は、抵抗器６０１を介して集積回路６０２のピン６０３（in）に接続されている。ピン６０４（out）可変エキスパンダ１２５の出力４０２に接続される。
ＲＭＳ検出器４０７と膨張比及び閾値回路４０５と増幅器４０３を備える制御ループは、集積回路６０２の入力４００とピン６０５（EC+）の間の設定される。ピン６０６（TRIM）はトリム回路６２５に接続されておりと、ピン６０５（EC-）は接地される。
ＲＭＳ検出器４０７は、抵抗器６０８、集積回路６０９、抵抗器６１４及びコンデンサ６１５とを備えている。ピン６１２（IT）に接続されている抵抗器６１４とピン６１３（CT）に接続されているコンデンサ６１５は、集積回路６０９の時定数を調整することができる。ピン６１１（out）は、抵抗器６１６、６１８、６１９と６２２、オペレーショナルアンプ６１７及びダイオード５２１とを備えている膨張比及び閾値回路４０５の入力に接続されている。抵抗器６１８、抵抗器６１９と電圧源６２０（-VEE）によって調整される様に、エキスパンダ閾値は対応しているＤＣオフセットによって決定される。膨張比は、オペレーショナルアンプ６２０の増幅度によって決定される。
膨張比及び閾値回路４０５の出力は、オペレーショナルアンプ６２３、抵抗器６２４及び電圧源６２５（+VCC）からの抵抗器６２６とを備えている増幅器４０３によって処理される。増幅器４０３の出力は、ピン６０５（EC+）に接続されており、集積回路６０２の電圧利得を制御する。
集積回路６０２の出力の歪みは、トリム回路４１１によってピン６０６（TRIM）に提示される電圧レベルを調整することにより減少する。トリム回路４１１は、抵抗器６２７と６２８とを備えている。この抵抗器構成は、電圧源６２０（-VEE）と６２５（+VCC）に接続される分圧器として作用する。
本発明の実施の目下のところの好適なモードを含む具体例に関して、本発明が記載されるとともに、請求項に記載した発明の範囲内で、当業者は、上記したシステムと技術において、多数の変形例と置換があることが理解される。
【図面の簡単な説明】
【００２３】
【図１】図１は、本発明に係る無線オーディオ雑音低減回路のシステム構成を示す。
【図２】図２は、可変コンプレッサの利得関数の関係を示す。
【図３】図３は、可変コンプレッサの機能図を示す。
【図４】図４は、可変エキスパンダの機能図を示す。
【図５】図５は、図３に従って可変コンプレッサを実行するための電気概要図を示す。
【図６】図６は、図４に従って可変エキスパンダを実行するための電気概要図を示す。
【図１】
2005507188.tif 000003
【図２】
2005507188.tif 000004
【図３】
2005507188.tif 000005
【図４】
2005507188.tif 000006
【国際公開パンフレット】
2005507188.tif 000007
2005507188.tif 000008
2005507188.tif 000009
2005507188.tif 000010
2005507188.tif 000011
2005507188.tif 000012
2005507188.tif 000013
2005507188.tif 000014
2005507188.tif 000015
2005507188.tif 000016
2005507188.tif 000017
2005507188.tif 000018
2005507188.tif 000019
2005507188.tif 000020
2005507188.tif 000021
2005507188.tif 000022
2005507188.tif 000023
2005507188.tif 000024
2005507188.tif 000025
2005507188.tif 000026
2005507188.tif 000027
【国際調査報告】
2005507188.tif 000028
2005507188.tif 000029
2005507188.tif 000030